(57)【特許請求の範囲】
【請求項１】
ユーザにより指定されたチャネルの放送波を受信する受信手段と、
他装置における前記チャネルの放送波の受信感度である他機受信感度を示す感度情報を取得する感度情報取得手段と、
前記受信手段により受信されている放送波の自機受信感度と、前記感度情報取得手段により取得される他機受信感度とに基づいて、前記他装置からコンテンツデータを取得するか否かを判定する判定手段と、
前記判定手段により取得すると判定された場合には、前記他装置からコンテンツデータを取得するコンテンツデータ取得手段と、
前記コンテンツデータ取得手段により、コンテンツデータが取得されない場合には、前記受信手段により受信された放送波に含まれているコンテンツデータを出力し、前記コンテンツデータ取得手段により、コンテンツデータが取得された場合には、前記コンテンツデータ取得手段により取得されたコンテンツデータを出力する出力手段と、
を備え、
前記判定手段は、前記自機受信感度と視聴可能な限界値を示す自機受信感度限界値との自機差分値と、前記他機受信感度と視聴可能な限界値を示す他機受信感度限界値との他機差分値と、を比較し、
自機差分値が他機差分値より小さいと判定する場合であって、前記他機受信感度と視聴可能な限界値を示す他機受信感度限界値との他機差分値が、前記他機受信感度限界値に基づいて予め定められた他機マージン値より小さく、かつ、自機差分値が、前記自機受信感度限界値に基づいて定められた自機マージン値より大きい場合にのみ、前記コンテンツデータ取得手段は、前記他装置からコンテンツデータを取得することなく、前記出力手段は、前記受信手段により受信されたコンテンツデータを出力し、
自機差分値が他機差分値より大きいと判定する場合であって、前記自機差分値が自機マージン値より小さく、かつ、他機差分値が他機マージン値より大きい場合にのみ、前記コンテンツデータ取得手段は、前記他装置からコンテンツデータを取得し、前記出力手段は、前記コンテンツデータ取得手段により取得されたコンテンツデータを出力する
ことを特徴とするコンテンツデータ処理装置。
【請求項２】
前記コンテンツデータ取得手段は、
前記他装置が使用中である場合には、その旨を受信することを特徴とする請求項１に記載のコンテンツデータ処理装置。
【請求項３】
複数ある他装置における放送信号の種別を示す種別情報をそれぞれ取得する種別取得手段をさらに備え、
前記種別取得手段により取得された種別情報にしたがって、一の他装置を決定し、当該一の他装置から前記感度情報取得手段は、他機受信感度情報を取得することを特徴とする
請求項１から２のいずれか１項に記載のコンテンツデータ処理装置。
【請求項４】
請求項１から３のいずれか１項に記載のコンテンツデータ処理装置と、前記コンテンツデータ処理装置からの要求に応じて受信感度情報およびコンテンツデータを提供し、他装置として機能するコンテンツデータ処理装置とを含むコンテンツ共有システム。
【請求項５】
ユーザにより指定されたチャネルの放送波を受信する受信ステップと、
他装置における前記チャネルの放送波の受信感度である他機受信感度を示す感度情報を取得する感度情報取得ステップと、
前記受信ステップにより受信されている放送波の自機受信感度と、前記感度情報取得ステップにより取得される他機受信感度とに基づいて、前記他装置からコンテンツデータを取得するか否かを判定する判定ステップと、
前記判定ステップにより取得すると判定された場合には、前記他装置からコンテンツデータを取得するコンテンツデータ取得ステップと、
前記コンテンツデータ取得ステップにより、コンテンツデータが取得されない場合には、前記受信ステップにより受信された放送波に含まれているコンテンツデータを出力し、前記コンテンツデータ取得ステップにより、コンテンツデータが取得された場合には、前記コンテンツデータ取得ステップより取得されたコンテンツデータを出力する出力ステップと、
を備え、
前記判定ステップにおいて、前記自機受信感度と視聴可能な限界値を示す自機受信感度限界値との自機差分値と、前記他機受信感度と視聴可能な限界値を示す他機受信感度限界値との他機差分値と、を比較し、
自機差分値が他機差分値より小さいと判定する場合であって、前記他機受信感度と視聴可能な限界値を示す他機受信感度限界値との他機差分値が、前記他機受信感度限界値に基づいて予め定められた他機マージン値より小さく、かつ、自機差分値が、前記自機受信感度限界値に基づいて定められた自機マージン値より大きい場合にのみ、前記コンテンツデータ取得ステップにおいて、前記他装置からコンテンツデータを取得することなく、前記出力ステップにおいて、前記受信ステップにより受信されたコンテンツデータを出力し、
自機差分値が他機差分値より大きいと判定する場合であって、前記自機差分値が自機マージン値より小さく、かつ、他機差分値が他機マージン値より大きい場合にのみ、前記コンテンツデータ取得ステップにおいて、前記他装置からコンテンツデータを取得し、前記出力ステップにおいて、前記コンテンツデータ取得ステップにより取得されたコンテンツデータを出力する
ことを特徴とするコンテンツデータ処理方法。
【発明の詳細な説明】
【技術分野】
【０００１】
本発明は、放送波データなどのデータを視聴するコンテンツデータ処理装置およびコンテンツデータ処理方法ならびにコンテンツデータ共有システムに関する。
【背景技術】
【０００２】
現在、アナログテレビ放送、地上デジタル放送、ワンセグ放送、デジタルラジオ放送などを用いて、多くのコンテンツが電波で放送され、ユーザはそれぞれの放送を受信することができる受信機器を用意することで自由に視聴、記録を行うことができる。例えば、特許文献１（特開２００７−１６５９９３号公報）には、デジタルテレビ放送は、アナログテレビ放送波のそれぞれを受信し、録画することができる携帯情報端末装置について記載されている。
【特許文献１】特開２００５−１２３９８号公報
【発明の開示】
【発明が解決しようとする課題】
【０００３】
しかしながら、視聴、録画を行う際に、アンテナ受信環境がよくない場合には良好な画質の映像の視聴、録画が困難であるという問題がある。特許文献１に記載されている携帯情報端末装置では、それぞれアンテナが備え付けられているものの、一つの装置に備え付けられているため、受信環境にそれほど大差なく、やはり良好な画質の映像の視聴、録画は困難であると考えられる。
【０００４】
そこで、上述の課題を解決するために、本発明は、良質な画質の映像、良質な音質の音楽・楽曲などのコンテンツデータを視聴、聴取、または記録することのできるコンテンツデータ処理装置およびコンテンツデータ処理方法ならびにコンテンツデータ共有システムを提供することを目的とする。
【課題を解決するための手段】
【０００５】
本発明は、ユーザにより指定されたチャネルの放送波を受信する受信手段と、他装置における前記チャネルの放送波の受信感度である他機受信感度を示す感度情報を取得する感度情報取得手段と、前記受信手段により受信されている放送波の自機受信感度と、前記感度情報取得手段により取得される他機受信感度とに基づいて、前記他装置からコンテンツデータを取得するか否かを判定する判定手段と、前記判定手段により取得すると判定された場合には、前記他装置からコンテンツデータを取得するコンテンツデータ取得手段と、前記コンテンツデータ取得手段により、コンテンツデータが取得されない場合には、前記受信手段により受信された放送波に含まれているコンテンツデータを出力し、前記コンテンツデータ取得手段により、コンテンツデータが取得された場合には、前記コンテンツデータ取得手段により取得されたコンテンツデータを出力する出力手段と、を備え、前記判定手段は、前記自機受信感度と視聴可能な限界値を示す自機受信感度限界値との自機差分値と、前記他機受信感度と視聴可能な限界値を示す他機受信感度限界値との他機差分値と、を比較し、自機差分値が他機差分値より小さいと判定する場合であって、前記他機受信感度と視聴可能な限界値を示す他機受信感度限界値との他機差分値が、前記他機受信感度限界値に基づいて予め定められた他機マージン値より小さく、かつ、自機差分値が、前記自機受信感度限界値に基づいて定められた自機マージン値より大きい場合にのみ、前記コンテンツデータ取得手段は、前記他装置からコンテンツデータを取得することなく、前記出力手段は、前記受信手段により受信されたコンテンツデータを出力し、自機差分値が他機差分値より大きいと判定する場合であって、前記自機差分値が自機マージン値より小さく、かつ、他機差分値が他機マージン値より大きい場合にのみ、前記コンテンツデータ取得手段は、前記他装置からコンテンツデータを取得し、前記出力手段は、前記コンテンツデータ取得手段により取得されたコンテンツデータを出力することを特徴とする。
【０００６】
この発明によれば、ユーザにより指定されたチャネルの放送波を受信し、他装置における前記チャネルの放送波の受信感度である他機受信感度を示す感度情報を取得する。そして、受信されている放送波の自機受信感度と、他機受信感度とに基づいて、他装置からコンテンツデータを取得するか否かを判定する。他装置から取得すると判定された場合には、当該他装置からコンテンツデータを取得し、
取得されたコンテンツデータを出力する。一方、コンテンツデータが取得されない場合には、受信された放送波に含まれているコンテンツデータを出力する。これにより、受信感度に基づいて他装置における受信環境がよいと判定できる場合には、他装置からコンテンツデータを取得することができ、受信感度のよい状態で受信されたコンテンツデータを取得することができる。
【０００７】
また、本発明のコンテンツデータ処理装置における前記判定手段は、前記自機受信感度と視聴可能な限界値を示す自機受信感度限界値との自機差分値と、前記他機受信感度と視聴可能な限界値を示す他機受信感度限界値との他機差分値と、を比較し、自機差分値が他機差分値より小さいと判定する場合であって、前記他機受信感度と視聴可能な限界値を示す他機受信感度限界値との他機差分値が、前記他機受信感度限界値に基づいて予め定められた他機マージン値より小さく、かつ、自機差分値が、前記自機受信感度限界値に基づいて定められた自機マージン値より大きい場合にのみ、前記コンテンツデータ取得手段は、前記他装置からコンテンツデータを取得することなく、前記出力手段は、前記受信手段により受信されたコンテンツデータを出力することが好ましい。
【０００８】
また、本発明のコンテンツデータ処理装置における前記判定手段は、前記自機受信感度と視聴可能な限界値を示す自機受信感度限界値との自機差分値と、前記他機受信感度と視聴可能な限界値を示す他機受信感度限界値との他機差分値と、を比較し、自機差分値が他機差分値より大きいと判定する場合であって、前記自機差分値が、前記自機受信感度限界値に基づいて定められた自機マージン値より小さく、かつ、他機差分値が、前記他機受信感度限界値に基づいて定められた他機マージン値より大きい場合にのみ、前記コンテンツデータ取得手段は、前記他装置からコンテンツデータを取得し、前記出力手段は、前記コンテンツデータ取得手段により取得されたコンテンツデータを出力することが好ましい。
【０００９】
この発明によれば、自機差分値と他機差分値とを比較し、自機差分値が他機差分値より小さいと判定する場合であって、他機差分値が他機マージン値より小さく、かつ、自機差分値が自機マージン値より大きい場合にのみ、他装置からコンテンツデータを取得することなく、受信されたコンテンツデータを出力する。一方、自機差分値が他機差分値より大きいと判定する場合であって、自機差分値が自機マージン値より小さく、かつ、他機差分値が他機マージン値より大きい場合にのみ、他装置からコンテンツデータを取得し、取得されたコンテンツデータを出力する。これにより、自装置および他装置における受信環境の相対的な環境に基づいていずれのコンテンツデータがよりよい受信環境で取得されたものであるかを判定することができる。
【００１０】
また、本発明のコンテンツデータ処理装置は、
Ｘ：自装置の受信感度を示す自機受信感度
Ｘ１：自装置において視聴可能な限界値を示す自機受信感度限界値に自機マージン値を加算して得られる自機受信感度閾値
Ｘ２：視聴可能な限界値を示す受信感度限界値
α：自装置において受信したコンテンツデータの自機解像度
Ｙ：他装置の受信感度を示す他機受信感度
Ｙ１：他装置において視聴可能な限界値を示す他機受信感度限界値に他機マージン値を加算して得られる他機受信感度閾値
Ｙ２：他装置において視聴可能な限界値を示す他機受信感度限界値
β：他装置において受信したコンテンツデータの他機解像度
とした場合において、
判定手段により、Ｘ＞Ｘ１である場合に、  Ｙ＞Ｙ１かつβ＞αであるときには、他装置からコンテンツデータを取得すると判定され、Ｙ＞Ｙ１かつβ≦αであるときには、他装置からコンテンツデータを取得せずと判定され、Ｘ１≧Ｘ＞Ｘ２である場合に、Ｙ＞Ｙ１であるときには、他装置からコンテンツデータを取得すると判定され、Ｙ１≧Ｙ＞Ｙ２かつ（（Ｘ−Ｘ１）×α／（Ｘ１−Ｘ２））≧（（Ｙ−Ｙ１×β／（Ｙ１−Ｙ２））であるときには、他装置からのコンテンツデータを取得せずと判定され、Ｙ１≧Ｙ＞Ｙ２かつ（（Ｘ−Ｘ１）×α／（Ｘ１−Ｘ２））＜（（Ｙ−Ｙ１×β／（Ｙ１−Ｙ２））であるときには、他装置からコンテンツデータを取得すると判定され、Ｙ２≧Ｙであるときには、他装置からのコンテンツデータを取得せずと判定され、Ｘ２≧Ｘである場合に、Ｙ≧Ｙ２であるときには、他装置からのコンテンツデータを取得するすると判定されることが好ましい。
【００１１】
この発明によれば、自装置および他装置のそれぞれの受信環境に加えて、自装置および他装置にて表示可能な解像度を考慮して、いずれの装置で受信されたコンテンツデータを出力するようにするかを判定することができる。これにより、受信環境が悪くても解像度がよいコンテンツデータのほうが視覚的にはきれいなコンテンツデータとして捉えることができ、より適切なコンテンツデータを取得することができる。
【００１２】
また、本発明のコンテンツデータ処理装置において、前記コンテンツデータ取得手段は、前記他装置が使用中である場合には、その旨を受信することが好ましい。
【００１３】
また、本発明のコンテンツデータ処理装置は、他装置が使用中である場合には、その旨を受信することで、コンテンツデータが取得できなかった場合においても他装置における状態をユーザは把握することができる。
【００１４】
また、本発明のコンテンツデータ処理装置は、複数ある他装置における放送信号の種別を示す種別情報をそれぞれ取得する種別取得手段をさらに備え、前記種別取得手段により取得された種別情報にしたがって、一の他装置を決定し、当該一の他装置から前記感度情報取得手段は、他機受信感度情報を取得することが好ましい。
【００１５】
また、本発明は、取得された種別情報にしたがって、一の他装置を決定し、当該一の他装置から他機受信感度情報を取得することで、例えば、地上デジタル放送で受信したハイビジョンのコンテンツデータに限定して取得したといった場合、又は、種別情報（解像度、ワンセグ、１２セグ）から選別して１２セグに限定したコンテンツデータの取得といった場合に適用することができ、より使い勝手のよい装置を実現することができる。
【００１６】
ところで、本発明は、上記のようにコンテンツデータ処理装置の発明として記述できる他に、以下のように、コンテンツデータ共有システム、コンテンツデータ処理方法の発明としても記述することができる。これらはカテゴリーが異なるだけで、実質的に同一の発明であり、同様の作用・効果を奏する。
【００１７】
本発明のコンテンツデータ共有システムは、上記コンテンツデータ処理装置と、コンテンツデータ処理装置からの要求に応じて受信感度情報およびコンテンツデータを提供し、他装置として機能するコンテンツデータ処理装置とを含んでいる。
【００１８】
また、本発明のコンテンツデータ処理方法は、ユーザにより指定されたチャネルの放送波を受信する受信ステップと、他装置における前記チャネルの放送波の受信感度である他機受信感度を示す感度情報を取得する感度情報取得ステップと、前記受信ステップにより受信されている放送波の自機受信感度と、前記感度情報取得ステップにより取得される他機受信感度とに基づいて、前記他装置からコンテンツデータを取得するか否かを判定する判定ステップと、前記判定ステップにより取得すると判定された場合には、前記他装置からコンテンツデータを取得するコンテンツデータ取得ステップと、前記コンテンツデータ取得ステップにより、コンテンツデータが取得されない場合には、前記受信ステップにより受信された放送波に含まれているコンテンツデータを出力し、前記コンテンツデータ取得ステップにより、コンテンツデータが取得された場合には、前記コンテンツデータ取得ステップより取得されたコンテンツデータを出力する出力ステップと、を備え、前記判定ステップにおいて、前記自機受信感度と視聴可能な限界値を示す自機受信感度限界値との自機差分値と、前記他機受信感度と視聴可能な限界値を示す他機受信感度限界値との他機差分値と、を比較し、自機差分値が他機差分値より小さいと判定する場合であって、前記他機受信感度と視聴可能な限界値を示す他機受信感度限界値との他機差分値が、前記他機受信感度限界値に基づいて予め定められた他機マージン値より小さく、かつ、自機差分値が、前記自機受信感度限界値に基づいて定められた自機マージン値より大きい場合にのみ、前記コンテンツデータ取得ステップにおいて、前記他装置からコンテンツデータを取得することなく、前記出力ステップにおいて、前記受信ステップにより受信されたコンテンツデータを出力し、自機差分値が他機差分値より大きいと判定する場合であって、前記自機差分値が自機マージン値より小さく、かつ、他機差分値が他機マージン値より大きい場合にのみ、前記コンテンツデータ取得ステップにおいて、前記他装置からコンテンツデータを取得し、前記出力ステップにおいて、前記コンテンツデータ取得ステップにより取得されたコンテンツデータを出力することを特徴とする。
【発明の効果】
【００１９】
この発明によれば、受信感度のよい状態で受信されたコンテンツデータを取得することができる。よって、ユーザは、画質のよい映像、音質のよい音楽・楽曲を視聴、聴取、または記録することができる。
【発明を実施するための最良の形態】
【００２０】
添付図面を参照しながら本発明の実施形態を説明する。可能な場合には、同一の部分には同一の符号を付して、重複する説明を省略する。
【００２１】
図１は、本実施形態の画像データ処理装置を用いた画像共用システムのシステム構成を示すブロック図である。図１に示すように、この画像共用システムは、画像データ処理装置１００および画像データ処理装置２００を含んでおり、例えば、家屋などのエリアＨに配置されている。画像データ処理装置１００は、例えば携帯電話などの移動体端末であって、地上デジタル放送を受信し、デジタルテレビを表示することができるものであり、映像データを画像データ処理装置２００に対して要望する要望元機器としての機能を有する。また、画像データ処理装置２００は、パソコンなどの据置型端末であって、画像データ処理装置１００と同様に地上デジタル放送を受信し表示することができるものであり、画像データ処理装置１００に映像データを提供する要望先機器として機能する。例えば、画像データ処理装置１００において、障害物などのため自機で受信している放送波の受信感度が悪く、ノイズ等により映像が乱れている場合には、画像データ処理装置２００から映像データを取得することができるように構成されている。なお、本実施形態においては、受信する放送として地上デジタル放送を受信することを例示しているがこれに限るものではなく、コンテンツデータを含んだ放送波であれば、アナログテレビ放送であてもよく、また音声データのみを放送するラジオ放送などを受信するものでもよい。
【００２２】
以下、この画像データ処理装置１００の詳細な構成について説明する。図２は、本実施形態の画像データ処理装置１００の機能構成を示すブロック図である。この画像データ処理装置１００は、映像・音声放送受信部１０１（受信手段）、処理部１０２、出力部１０７（出力手段）、保存部１０８、ＮＷ接続部１０９、および録画予約リスト保存部１１０を含んで構成されている。さらに処理部１０２は、映像・音声処理部１０３、感度情報取得部１０４（感度情報取得手段、種別取得手段）、受信環境判定部１０５（判定手段）、映像データ取得部１０６（コンテンツデータ取得手段）を含んで構成されている。この画像データ処理装置１００は、図３に示すようなハードウェア構成により実現される。
【００２３】
図３は、画像データ処理装置１００のハードウェア構成図である。図２に示される画像データ処理装置１００は、物理的には、図３に示すように、ＣＰＵ１１、主記憶装置であるＲＡＭ１２及びＲＯＭ１３、入力デバイスであるキーボード及びマウス等の入力装置１４、ディスプレイ等の出力装置１５、ネットワークカード等のデータ送受信デバイスである通信モジュール１６、ハードディスク等の補助記憶装置１７、放送波受信装置１８などを含むコンピュータシステムとして構成されている。図２において説明した各機能は、図３に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６、放送波受信装置１８を動作させるとともに、ＲＡＭ１２や補助記憶装置１７におけるデータの読み出し及び書き込みを行うことで実現される。以下、図２示す機能ブロックに基づいて、各機能ブロックを説明する。
【００２４】
映像・音声放送受信部１０１は、放送局３００から放送されるテレビ放送波を受信する部分である。
【００２５】
処理部１０２は、映像・音声放送受信部１０１により受信された映像・音声データを含んだテレビ放送波を処理し、処理された映像・音声データを出力部１０７に出力する部分であり、出力部１０７は、入力された映像データおよび音声データをディスプレイに表示することで、テレビ番組を表示することができる。
【００２６】
また、処理部１０２は、画像データ処理装置２００との間で、映像データの共有化処理を行う部分であり、映像・音声放送受信部１０１により受信された放送波の受信感度が悪い場合には、画像データ処理装置２００において受信されている同じチャンネルの放送波の受信感度を取得する。そして、自機における受信感度および画像データ処理装置２００における受信感度の受信状態に基づいて、画像データ処理装置２００から映像データを取得し、出力部１０７に出力する。なお、受信感度のほかに、ＳＮ比などいわゆる受信レベルを表すことができる基準値に基づいて判定するものであれば、受信感度に限定するものではない。以下、この処理部１０２の詳細な構成について説明する。
【００２７】
映像・音声処理部１０３は、ユーザにより指定されたチャンネル情報に基づいて映像・音声放送受信部１０１により受信された放送波を処理して映像データを取得し、この映像データを出力部１０７に出力する部分である。また、映像・音声処理部１０３は、視聴が開始されると、感度情報取得部１０４に対して、視聴しているチャンネル情報の受信感度の要望信号を出力するよう指示を行う。
【００２８】
感度情報取得部１０４は、映像・音声処理部１０３において処理された映像データのチャンネル情報を取得し、画像データ処理装置２００における当該チャンネル情報の放送波の受信感度を取得する部分である。感度情報取得部１０４は、画像データ処理装置２００に対してチャンネル情報についての受信感度の要望信号を出力し、画像データ処理装置２００から当該チャンネル情報の受信感度を取得する。また、感度情報取得部１０４は、画像データ処理装置２００から視聴中である旨の通知情報を受信すると、その旨を映像・音声処理部１０３を介して出力部１０７に出力する。
【００２９】
なお、感度情報取得部１０４は、一の画像データ処理装置２００に対して感度情報の要望処理を行うことなく、複数の画像データ処理装置２００に対して感度情報の要望処理を行うようにしてもよく、また映像共有システムにおける要望先としての機能を有する装置を検索することにより、所定の画像データ処理装置２００を選別し、その選別した画像データ処理装置２００のみに対して感度情報を取得するようにしても良い。例えば、感度情報取得部１０４は、放送信号の種別（解像度、ワンセグ、１２セグ）に基づいて、１２セグ（地上デジタル放送）を受信可能な画像データ処理装置２００を選別するようにしてもよい。
【００３０】
そして、感度情報取得部１０４は、検索の結果、要望先機器としての画像データ処理装置２００を検索することができた場合にはその旨をユーザに報知することが好ましい。また、できなかった場合にもその旨をユーザに報知しても良い。
【００３１】
受信環境判定部１０５は、感度情報取得部１０４において取得された受信感度と自機における受信感度とに基づいて、画像データ処理装置１００または画像データ処理装置２００のいずれにおいて取得された映像データを表示させるかを判定する部分である。具体的には、受信環境判定部１０５は、判定テーブルを備え、画像データ処理装置１００における受信感度限界値と実際の受信感度との差分値と、画像データ処理装置１００における受信感度限界値に基づいて定められたマージン値との比較結果、および画像データ処理装置２００における受信感度限界値と受信感度との差分値と、画像データ処理装置２００における受信感度限界値に基づいて定められたマージン値との比較結果に基づいていずれの映像データを表示させるかを判定する。
【００３２】
なお、本実施形態において、受信感度限界値とは、画像データ処理装置１００または画像データ処理装置２００で受信する放送波の受信感度における視聴可能な限界値を示す値であって、多少のノイズなどは混在するものの視聴するに耐えうる映像データを取得することができる程度の受信感度である。この受信感度限界値は、機器毎に製造メーカ等により予め設定される値である（ユーザにより予め又は必要に応じて設定されても良い）。また、マージン値とは、当該マージン値を受信感度限界値に加算した受信感度で受信した場合、ノイズなどが全くない映像データを得ることができるように定められた値である。このマージン値もユーザにより予め設定される値である。
【００３３】
図４に、受信環境判定部１０５に備えられている判定テーブルを示す。図４（ａ）がＡ≦Ｃである場合の判定テーブルを示し、図４（ｂ）がＡ＞Ｃである場合の判定テーブルを示す。
Ａ：自機器（画像データ処理装置１００）における受信感度限界値と実際に受信している受信感度との差分値
Ｂ：自機器（画像データ処理装置１００）における受信感度限界値からのマージン値
Ｃ：他機器（画像データ処理装置２００）における受信感度限界値と実際に受信している受信感度との差分値
Ｄ：他機器（画像データ処理装置２００）における受信感度限界値からのマージン値
【００３４】
このようにＡ〜Ｄを定めた場合において、図４（ａ）に示すように、Ａ≦Ｃである場合には、以下の通り判定処理がなされる。
Ａ＞ＢかつＣ＞Ｄである場合、またはＡ≦ＢかつＣ＞Ｄである場合には、他機器である画像データ処理装置２００から映像データを取得するように判定される。
また、Ａ＞ＢかつＣ≦Ｄである場合には、自機器である画像データ処理装置１００が受信している放送波の映像データを視聴可能に処理するよう判定される。なお、他機器との比較処理を１回行うとともに、その旨をユーザに報知するように判定される。１回だけ比較処理を行うようにする理由としては、たまたま画像データ処理装置２００において受信環境が悪化していただけの可能性があり、再度比較判断を行うことが好ましいためである。
また、Ａ＜ＢかつＣ≦Ｄである場合、他機器である画像データ処理装置２００から映像データを取得するように判定されるとともに、絶えず、報知を行い他機器である画像データ処理装置２００から受信感度を取得し、比較するように処理するよう判定される。
【００３５】
また、図４（ｂ）に示すように、Ａ＞Ｃである場合には、以下の通り判定処理がなされる。
Ａ＞ＢかつＣ＞Ｄである場合には、自機器である画像データ処理装置１００において受信している放送波の映像データを視聴可能に処理するように判定される。
また、Ａ≦ＢかつＣ＞Ｄである場合には、他機器である画像データ処理装置２００から映像データを取得するように判定される。
また、Ａ＞ＢかつＣ≦Ｄである場合には、自機器である画像データ処理装置１００が受信している放送波の映像データを視聴可能に処理するよう判定される。なお、他機器との比較処理を１回行うとともに、その旨をユーザに報知するように判定される。１回だけ比較処理を行うようにする理由としては、たまたま画像データ処理装置２００において受信環境が悪化していただけの可能性があるため、再度比較判断を行うことが好ましいためである。
また、Ａ≦ＢかつＣ≦Ｄである場合、自機器である画像データ処理装置１００において受信している放送波の映像データを視聴可能に処理するように判定されるとともに、絶えず、報知を行い他機器である画像データ処理装置２００から受信感度を取得し、比較するように処理するよう判定される。
【００３６】
なお、上述の説明では、受信環境判定部１０５は、自機器における受信感度と他機器における受信感度とを用いて比較判定を行っているが、すでに他機器から映像データを受信し、視聴している場合で、繰り返し他機器を検索し、よりよい映像データを取得しようとしている場合においては、すでに受信されている他機器における受信感度と、感度情報の要望先となる他機器における受信感度とを比較判定することになる。つまり、すでに受信されている他機器（映像データの送信元）が自機器として扱われることになり、他機器の受信感度が自機器の受信感度とみなされ、判定処理される。
【００３７】
映像データ取得部１０６は、受信環境判定部１０５において判定された判定結果にしたがって、画像データ処理装置２００から映像データを取得し、映像・音声処理部１０３に出力する部分である。
【００３８】
出力部１０７は、ディスプレイ、スピーカから構成されている部分であり、映像・音声処理部１０３にて処理して得た映像データ、または映像データ取得部１０６により取得された映像データを表示する部分である。
【００３９】
保存部１０８は、映像・音声処理部１０３において処理された映像データを保存する部分である。
【００４０】
ＮＷ接続部１０９は、外部端末（例えば、画像データ処理装置２００）と通信接続する部分であって、例えば無線ＬＡＮを用いて外部端末と通信することができる。処理部１０２において処理された映像データは、ＮＷ接続部１０９を介して出力され、また画像データ処理装置２００から送信された映像データは、ＮＷ接続部１０９を介して入力され、処理部１０２に出力される。
【００４１】
録画予約リスト保存部１１０は、録画予約の対象となるテレビ番組を記憶する部分であり、この録画予約リストはユーザにより設定されるものである。
【００４２】
このような構成により画像データ処理装置１００は、画像データ処理装置２００から映像データを取得し、受信感度のよい、きれいな映像データを取得することができる。
【００４３】
つぎに、映像データの要望先機器である画像データ処理装置２００について説明する。図５は、本実施形態の画像データ処理装置２００の機能構成を示すブロック図である。図５に示すように、画像データ処理装置２００は、映像・音声放送受信部２０１、処理部２０２、ＮＷ接続部２０７、出力部２０８、を含んで構成されている。このうち処理部２０２は、映像・音声処理部２０３、電源判断部２０４、受信感度通知部２０５、使用状態判断部２０６を含んで構成されている。この画像データ処理装置２００は、上述した画像データ処理装置１００と同様に、図３において示されるようにＣＰＵ、ＲＡＭ、ＲＯＭ等からなるハードウェア構成により実現されている。以下、図５に示される各機能構成について説明する。
【００４４】
映像・音声放送受信部２０１は、放送局３００から放送されるテレビ放送波を受信する部分である。
【００４５】
処理部２０２は、映像・音声放送受信部２０１により受信されたテレビ放送波を受信し、信号処理し、出力部２０８に出力する部分である。さらに、処理部２０２は、画像データ処理装置１００からの要求にしたがって、映像・音声放送受信部２０１にて受信されたテレビ放送波に含まれている映像データを、画像データ処理装置１００に転送処理し、また、画像データ処理装置２００の電源がオフ状態であれば、電源をオンする処理を行い、また他のチャンネルを視聴中など使用中であれば、その旨を通知する処理を行う部分である。より詳細には以下の構成要素を含んでいる。
【００４６】
映像・音声処理部２０３は、映像・音声放送受信部２０１により受信された映像・音声データを含んだテレビ放送波を処理し、処理された映像・音声データを出力部２０８に出力する部分であり、出力部２０８は、入力された映像データおよび音声データをディスプレイに表示し、テレビ番組を表示することができる。
【００４７】
また、映像・音声処理部２０３は、後述するように電源判断部２０４において画像データ処理装置１００からＮＷ接続部２０７を介して受信感度の要望信号を受信すると、画像データ処理装置１００において指定したチャンネル情報に基づいた映像・音声放送受信部２０１に受信させ、当該チャンネル情報のテレビ放送波の受信感度を計測する。計測した受信感度情報を、受信感度通知部２０５に出力する。
【００４８】
また、映像・音声処理部２０３は、ＮＷ接続部２０７を介して、指定されたチャンネル情報の映像データの要求を受けると、指定されたチャンネル情報の映像データを受信するように、映像・音声放送受信部２０１を制御するとともに、画像データ処理装置１００に受信した映像データを送信するように送信する部分である。
【００４９】
また、電源判断部２０４は、ＮＷ接続部２０７を介して画像データ処理装置１００において指定されたチャンネル情報の受信感度の要求を受けると、画像データ処理装置２００の電源がオン状態であるか否かを判断し、オフであった場合には、電源をオンとする処理を行う部分である。さらに、電源判断部２０４は、電源をオン状態にすると、映像・音声処理部２０３において、受信感度の要求を出力する。
【００５０】
受信感度通知部２０５は、映像・音声処理部２０３により計測された受信感度を、ＮＷ接続部２０７を介して画像データ処理装置１００に通知する部分である。
【００５１】
使用状態判断部２０６は、電源判断部２０４において電源がオンと判断され、かつ映像・音声処理部２０３において他のチャンネルをユーザが視聴中であると判断されると、画像データ処理装置２００は使用中であると判断でき、その旨をＮＷ接続部２０７を介して画像データ処理装置１００に通知する部分である。なお、映像・音声処理部２０３においては、他のチャンネル情報に従った映像データを出力部２０８に出力している場合に、ユーザはそのチャンネル情報に従った映像データを視聴していると判断できる。
【００５２】
また、使用状態判断部２０６は、使用の状態に応じて使用中である旨を通知するか、画像データ処理装置１００からの要望に応じたチャンネルの受信処理を行うかを切り替えるようにしてもよい。例えば、使用の状態として、画像データ処理装置２００がチューナを２つ備え、裏番組を録画しているなどの使用状態であるときには、使用しても差し支えないため、使用中である旨を通知することなく、要望に応じた受信処理を行うことが好ましい。
【００５３】
ＮＷ接続部２０７は、画像データ処理装置１００と通信接続する部分であり、例えばワイヤレスＬＡＮを用いて通信接続し、映像データ（音声データを含む）を送信することができる。
【００５４】
出力部２０８は、映像・音声処理部２０３において処理された映像データ、音声データをユーザに出力する部分であり、例えば、ディスプレイ、スピーカから構成されている。
【００５５】
以上の通り、要望先機器として構成されている画像データ処理装置２００は、画像データ処理装置１００からの要求に応じて、受信感度を通知し、また映像データ、音声データを画像データ処理装置１００に送信することができる。
【００５６】
つぎに、このように構成された画像データ処理装置１００および画像データ処理装置２００における画像共用システムの動作について説明する。図６は、画像共用システムの動作を示すシーケンス図である。
【００５７】
画像データ処理装置１００の処理部１０２においてユーザ操作により視聴開始が指示される（Ｓ１０１）。ここでは、視聴しようとするチャンネルの指定が操作部（図示せず）により指示され、その旨が処理部１０２から映像・音声放送受信部１０１に出力される（Ｓ１０２）。そして、映像・音声放送受信部１０１により指定されたチャンネルにしたがったテレビ放送波が受信されると（Ｓ１０３）、受信された映像データおよび音声データは、処理部１０２を介して出力部１０７に出力され、表示される（Ｓ１０４）。
【００５８】
一方、処理部１０２（感度情報取得部１０４）においては、ＮＷ接続部１０９を介して、ユーザにより指定されたチャンネルの受信感度に対する要望信号（受信感度要望）が画像データ処理装置２００に出力される（Ｓ１０５）。この図６においては、要望信号は、画像データ処理装置２００のみに送信されているが、画像データ処理装置２００が複数あった場合には、その数だけ要望信号は送信される。なお、要望信号は、全ての画像データ処理装置に対して送信する必要はなく、映像共有システムとして機能することができる画像データ処理装置を検索することで所定の画像データ処理装置のみ送信するようにすれば良い。
【００５９】
画像データ処理装置２００において、処理部２０２（電源判断部２０４）によりＮＷ接続部２０７を介して受信感度要望を受信すると、電源のオン・オフ状態が判断される（Ｓ１０６）。ここで電源がオフであった場合には、電源判断部２０４により電源はオン状態に移行させる。そして、画像データ処理装置１００にて指定されたチャンネル情報に従ったチャンネルの受信を行うよう映像・音声放送受信部２０１に開始指示が出力される（Ｓ１０７）。映像・音声放送受信部２０１では、指定されたチャンネルのテレビ放送波が受信され（Ｓ１０８）、受信されたテレビ放送波は、処理部２０２（映像・音声処理部２０３）に出力される（Ｓ１０９）。
【００６０】
処理部２０２（映像・音声処理部２０３）では、映像・音声放送受信部２０１により受信された放送波に基づいて、受信感度が計測され（Ｓ１１０）、受信感度通知部２０５に出力される。そして、受信感度通知部２０５により、ＮＷ接続部２０７を介して、要望チャンネルの受信感度情報が画像データ処理装置１００に出力される（Ｓ１１１）。
【００６１】
画像データ処理装置１００では、ＮＷ接続部１０９を介して受信された画像データ処理装置２００において受信した放送波の受信感度と、映像・音声放送受信部１０１において受信された放送波の受信感度とを用いた受信環境の比較が、受信環境判定部１０５により行われる（Ｓ１１２）。この結果、画像データ処理装置２００から映像データを取得したほうがよいと、受信環境判定部１０５により判定されると、そのチャンネル情報の映像データの要望信号が、映像データ取得部１０６により出力される（Ｓ１１３）。
【００６２】
画像データ処理装置２００では、ＮＷ接続部２０７を介して要望信号が受信され、映像・音声処理部２０３に入力される。映像・音声処理部２０３では、映像・音声放送受信部２０１により受信されたテレビ放送波から変換処理され映像データ（音声データ）が抽出される（Ｓ１１４）。そして、抽出された映像データ（音声データ）は、ＮＷ接続部２０７を介して画像データ処理装置１００に送信される（Ｓ１１５）。
【００６３】
画像データ処理装置１００では、ＮＷ接続部１０９を介して映像データおよび音声データが受信され、映像・音声処理部１０３により出力部１０７において表示可能なデータ形式、解像度に変換される（Ｓ１１６）。そして、この変換処理と平行して、映像・音声放送受信部１０１により受信され、現に出力部１０７において表示されている映像データの表示処理は終了され（Ｓ１１７）、ＮＷ接続部１０９により受信された映像データが、映像・音声処理部１０３による変換処理を経て、出力部１０７に出力され、表示処理される（Ｓ１１８）。
【００６４】
つぎに、映像共有システムにおける他の動作について説明する。図７は、要望先機器である画像データ処理装置２００において、他のチャンネル情報のテレビ番組を視聴中であった場合の処理を示すフローチャートである。
【００６５】
図７に示すとおり、視聴開始がなされると、そのテレビ放送波は受信され、表示されるとともに、画像データ処理装置２００に対して受信感度要望が出力される（Ｓ１０１〜Ｓ１０５）。そして、電源判断部２０４において電源のオン、オフの判断がなされる（Ｓ１０６）。ここでは、電源がオンであり、かつ映像・音声放送受信部２０１および映像・音声処理部２０３にて、他のチャンネル情報に従ったテレビ放送波が受信され、視聴されており、そのことが映像・音声処理部２０３にて認識される（Ｓ１０６）。よって、映像・音声処理部２０３により、画像データ処理装置２００において他のチャンネル情報に従ったテレビ放送波の番組が視聴されている旨の通知情報が画像データ処理装置１００に出力される（Ｓ１１８）。
【００６６】
画像データ処理装置１００（受信環境判定部１０５）では、その通知を受信すると、視聴中であると判断でき、他の画像データ処理装置あればその画像データ処理装置からの受信環境に基づいて判断するか、または自機器において受信しているテレビ放送波の映像データを継続して表示するようにする。
【００６７】
つぎに、映像共有システムにおけるさらに他の動作について説明する。図８は、所定時間ごとに要望先機器である画像データ処理装置２００から受信感度を取得するときの処理を示すシーケンス図である。
【００６８】
図８における処理例では、要望先機器である画像データ処理装置２００における受信感度が、画像データ処理装置１００と比較して相対的に低く、画像データ処理装置２００から映像データを取得してないことを前提にしている。よって、画像データ処理装置１００は所定周期ごとに画像データ処理装置２００に対して受信感度情報を取得しようとしている。
【００６９】
まず、画像データ処理装置１００における感度情報取得部１０４により、所定周期が経過したことが検出されると（Ｓ２０１）、画像データ処理装置２００の受信感度の取得が再度開始される（Ｓ２０２）。周期ごとの受信感度の取得が開始されると、受信感度要望が画像データ処理装置２００に出力される（Ｓ２０３）。そして、画像データ処理装置２００では、電源判断部２０４により電源のオン、オフの確認がなされる（Ｓ２０４）。ここで、電源がオフであった場合には、電源がオンにされ、また、電源がオン状態である場合には他の番組を視聴中ではないかが判断される。そして、それぞれ、電源がオンであり、また他の番組を視聴中ではないと判断されると、映像・音声処理部２０３により、指定されたチャンネル情報のテレビ放送波を受信するよう指示が映像・音声放送受信部２０１に対してなされる（Ｓ２０５）。映像・音声放送受信部２０１により所定のチャンネルのテレビ放送波が受信されると（Ｓ２０６）、その放送波が映像・音声処理部２０３に出力され（Ｓ２０７）、そして受信感度が計測される（Ｓ２０８）。計測された受信感度は、ＮＷ接続部２０７を介して、画像データ処理装置１００に出力される（Ｓ２０９）。
【００７０】
その後、画像データ処理装置１００においては、図６におけるＳ１１２以降の処理と同様に、画像データ処理装置２００の受信感度に基づいて、自機器の映像データを視聴対象とするか、画像データ処理装置２００の映像データを視聴対象とするかを判断する。
【００７１】
以上の通り、処理することにより、要望先機器である画像データ処理装置１００から映像データを取得することができる。なお、上述の例では、要望元機器として画像データ処理装置２００は、一つの場合を例に示していたが、一つに限るものではなく、図９に示すように複数あってもよい。図９は、変形例における映像共有システムのシステム構成図である。図９に示すように、画像データ処理装置１００および画像データ処理装置２００ａ〜２００ｄは、家屋などのエリアＨに配置され、それぞれ相互に通信接続可能に構成されており、任意の画像データ処理装置２００ｘ（ｘはａ〜ｄのいずれか）から映像データを取得することができる。
【００７２】
例えば、画像データ処理装置２００ａ〜２００ｄのうち、いずれか一つを選択するために、図６のＳ１０５で示される受信感度要望処理は、画像データ処理装置２００ａから２００ｄのそれぞれに対して行われる。そして、取得した受信感度のうち一番高い受信感度で受信している画像データ処理装置２００ｘを受信感度の比較対象として、図４の判定テーブルに従った判定処理が行われる。そして、判定処理に従って他機器から取得すべきと判断された場合には、当該一の画像データ処理装置２００ｘに対して映像データの要望を行い、そして、受信感度および映像データを取得するように構成される。なお、一の画像データ処理装置２００ｘを決定するに際して、必ずしも受信感度に基づく必要はなく、画像データ処理装置２００ｘにおける“受信感度−受信感度限界値”で算出される差分値であってもよい。
【００７３】
なお、ここでは、受信感度の大きさに基づいて一の画像データ処理装置２００ｘを決定したが、これに限るものではなく、画像データ処理装置２００ａ〜２００ｄのそれぞれに対して順に、図６のＳ１０５〜Ｓ１１２における受信感度の比較処理を行い、取得先となる画像データ処理装置２００ｘを決定するようにしてもよい。この場合、図６のＳ１１２の比較処理を行うとすぐに映像データ要望を行うことなく（Ｓ１１３参照）、つぎの画像データ処理装置２００ｘに対して受信感度要望（Ｓ１０５参照）を取得するように構成される必要がある。全ての画像データ処理装置２００ａ〜２００ｄに対して比較処理が終了すると、その中で受信感度などに基づいて一の画像データ処理装置２００ｘを決定する。
【００７４】
例えば、最初、自機器である画像データ処理装置１００と他機器である画像データ処理装置２００ａとを比較する。その結果、画像データ処理装置２００ａからデータを取得すべきと判断する場合には、つぎに、画像データ処理装置２００ａと画像データ処理装置２００ｂとを比較する。これを順々に行い、全ての検索された装置を比較することにより、一の画像データ処理装置２００ｘを決定することができる。このような処理を行う場合には、受信環境判定部１０５は、それぞれの画像データ処理装置２００ａ〜２００ｄにおける受信感度判定のための情報を一時的に記憶しておく必要がある。
【００７５】
同様に、図７における処理についても、画像データ処理装置２００ａ〜２００ｄにおいて、視聴中である場合には、それぞれの装置から視聴中の旨の通知が出力され、画像データ処理装置１００はこれを受信することになる。
【００７６】
また、図８における処理については、所定周期ごとに画像データ処理装置２００ａ〜２００ｄに対して受信感度の要望を行うことになる（Ｓ２０３参照）。以降、その受信感度に基づいて一の画像データ処理装置２００ｘを決定するようにしてもよいし、画像データ処理装置２００ａ〜２００ｄの一つずつ順に受信感度比較処理（図８のＳ１１２）を行ってもよい。なお、すでに受信している映像データが画像データ処理装置２００ｎ（ｎはａからｄのうち任意のもの）から取得されたものである場合には、画像データ処理装置２００ｎにおける受信感度等を比較対照とする。
【００７７】
つぎに、受信環境判定部に１０５おける判定処理の変形例について説明する。図１０は、変形例における判定処理のための基準値を説明するための模式図である。図１０（ａ）は、画像データ処理装置１００に対する基準値を示す模式図であり、図１０（ｂ）は、画像データ処理装置２００に対する基準値を示す模式図である。各図において、視聴状態を３段階に分けた状態を想定しており、（１）ノイズのみで視聴不可の状態、（２）ノイズはあるが視聴はかろうじて可能な状態、（３）ノイズがなく視聴か可能な状態である。
【００７８】
図１０（ａ）において、受信感度閾値Ｘ１は、上述の（１）ノイズのみで視聴不可の状態と、（２）ノイズはあるが視聴はかろうじて可能な状態との境界線を規定する基準値であり、受信感度限界値Ｘ２は、（２）ノイズはあるが視聴はかろうじて可能な状態と（３）ノイズがなく視聴か可能な状態との境界線を規定する基準値である。それぞれこれら基準値は、ユーザによりその視聴状態もしくは画像データ処理装置１００の設置状態に基づいて設定されているものである。また、受信中の映像の解像度としてαが規定されている。解像度としては、ワンセグ解像度：３２０×２４０ピクセル、１２セグ解像度：１９２０×１０８０ピクセル、アナログテレビ解像度：７２０×４８０ピクセルなどを想定している。
【００７９】
同様に、図１０（ｂ）において、受信感度閾値Ｙ１は、上述の（１）ノイズのみで視聴不可の状態と、（２）ノイズはあるが視聴はかろうじて可能な状態との境界線を規定する基準値であり、受信感度限界値Ｙ２は、（２）ノイズはあるが視聴はかろうじて可能な状態、（３）ノイズがなく視聴が可能な状態の境目を規定する基準値である。それぞれこれら基準値は、ユーザによりその視聴状態もしくは画像データ処理装置２００の設置状態に基づいて設定されているものである。また、受信中の映像の解像度としてβが規定されている。解像度の例は、上述αと同様である。
【００８０】
受信環境判定部１０５は、上述の基準値を以下の条件に当てはめることで、画像データ処理装置１００および２００における受信環境の良否を判定することができる。
（ｉ）実際に受信されている放送波の受信感度Ｘ＞受信感度閾値Ｘ１である場合に、
Ｙ＞Ｙ１  かつ  β＞α  であるときには、画像データ処理装置２００から映像データを取得するように判定され、
Ｙ＞Ｙ１  かつ  β≦α  であるときには、画像データ処理装置１００の映像データを取得するように判定される。
（ｉｉ）また、受信感度限界値Ｘ２＜受信感度Ｘ≦受信感度閾値Ｘ１である場合に、
Ｙ＞Ｙ１  であるときには、画像データ処理装置２００の映像データを取得するように判定され、
Ｙ１≧Ｙ＞Ｙ２  かつ  （Ｘ−Ｘ２）×α／（Ｘ１−Ｘ２）≧（Ｙ−Ｙ２）×β／（Ｙ１−Ｙ２）  であるときには、画像データ処理装置１００の映像データを取得するように判定され、
Ｙ１≧Ｙ＞Ｙ２  かつ  （Ｘ−Ｘ２）×α／（Ｘ１−Ｘ２）＜（Ｙ−Ｙ２）×β／（Ｙ１−Ｙ２）  であるときには、画像データ処理装置２００の映像データを取得するように判定され、
Ｙ２≧Ｙ  であるときには、画像データ処理装置１００の映像データを取得するように判定される。
（ｉｉｉ）Ｘ２≧Ｘである場合に、Ｙ≧Ｙ２であるときには、画像データ処理装置２００の映像データを取得するように判定する。
【００８１】
受信環境判定部１０５は、上述の判定基準に従って、判定処理を行うことで、画像データ処理装置１００および画像データ処理装置２００における解像度に応じた判定処理を行うことができ、画像データ処理装置１００はより適切な映像データを取得することができる。
【００８２】
なお、上述判断基準（ｉｉ）（ｉｉｉ）では、所定周期で他の画像データ処理装置２００に対して映像データの取得処理を行うとともに報知処理を行うよう、画像データ処理装置１００は構成されている。
【００８３】
また、この変形例に従った判定処理を行う場合には、感度情報取得部１０４は、画像データ処理装置２００から受信感度とともに解像度情報を取得する。そして、受信環境判定部１０５は、画像データ処理装置２００の受信感度および解像度情報に基づいて上述の判定処理を行うことができる。
【００８４】
つぎに、本実施形態の画像データ処理装置１００および画像データ処理装置２００を含む映像共有システムの作用効果について説明する。この画像データ処理装置１００においては、映像・音声放送受信部１０１がユーザにより指定されたチャネルの放送波を受信し、一方で、ユーザの視聴の指示に合わせて、感度情報取得部１０４が、他装置である画像データ処理装置２００における、指定されたチャネルの放送波の受信感度情報を取得する。そして、受信環境判定部１０５は、画像データ処理装置１００において受信されている放送波の受信感度と、画像データ処理装置２００における受信感度とに基づいて、画像データ処理装置２００から映像データを取得するか否かを判定する。
【００８５】
受信環境判定部１０５が、画像データ処理装置２００から取得すると判定した場合には、映像データ取得部１０６は当該画像データ処理装置２００から映像データを取得し、出力部１０７は取得された映像データを表示する。一方、映像データが取得されない場合には、受信された放送波に含まれている映像データを出力する。これにより、受信感度に基づいて画像データ処理装置２００における受信環境がよいと判定できる場合には、画像データ処理装置１００（映像データ取得部１０６）は、この画像データ処理装置２００から映像データを取得することができ、つまり、受信感度のよい状態で受信された映像データを取得することができる。
【００８６】
また、この画像データ処理装置１００は、受信環境判定部１０５が備えている判定テーブルにしたがって、以下のとおりに受信環境を判定する。すなわち、自機差分値と他機差分値とを比較し、自機差分値が他機差分値より小さいと判定する場合であって、他機差分値が他機マージン値より小さく、かつ、自機差分値が自機マージン値より大きいと判定できる場合のみ、映像データ取得部１０６は、画像データ処理装置２００から映像データを取得することなく、出力部１０７は、映像・音声放送受信部１０１により受信された映像データを表示する。
【００８７】
一方、自機差分値が他機差分値より大きいと判定する場合であって、自機差分値が自機マージン値より小さく、かつ、他機差分値が他機マージン値より大きいと判定される場合にのみ、映像データ取得部１０６は、画像データ処理装置２００から映像データを取得し、出力部１０７は取得された映像データを表示する。これにより、自装置（画像データ処理装置１００）および他装置（画像データ処理装置２００）における受信環境の相対的な環境に基づいていずれの映像データがよりよい受信環境で取得されたものであるかを判定することができる。
【００８８】
また、画像データ処理装置１００において、感度情報取得部１０４は、画像データ処理装置２００が使用中である場合には、その旨を受信することができ、映像データが取得できなかった場合においても画像データ処理装置２００における状態をユーザは把握することができる。
【００８９】
また、画像データ処理装置１００において、感度情報取得部１０４は、受信感度とともに、放送波の種別情報を取得し、これにしたがって、一の画像データ処理装置２００を決定することができる。よって、当該一の画像データ処理装置２００から受信感度情報を取得することで、例えば、地上デジタル放送で受信したハイビジョンのコンテンツデータに限定して取得したといった場合に適用することができ、より使い勝手のよい装置を実現することができる。
【００９０】
また、変形例における画像データ処理装置１００においては、画像データ処理装置１００および画像データ処理装置２００のそれぞれの受信環境に加えて、画像データ処理装置１００および画像データ処理装置２００にて表示可能な解像度を考慮して、いずれの装置で受信されたコンテンツデータを出力するようにするかを判定することができる。これにより、受信環境が悪くても解像度がよいコンテンツデータのほうが視覚的にはきれいなコンテンツデータとして捉えることができ、より適切なコンテンツデータを取得することができる。
【図面の簡単な説明】
【００９１】
【図１】本実施形態の画像データ処理装置を用いた画像共用システムのシステム構成を示すブロック図である。
【図２】本実施形態の画像データ処理装置１００の機能構成を示すブロック図である。
【図３】画像データ処理装置１００のハードウェア構成図である。
【図４】受信環境判定部１０５に備えられている判定テーブルである。
【図５】本実施形態の画像データ処理装置２００の機能構成を示すブロック図である。
【図６】画像共用システムの動作を示すシーケンス図である。
【図７】画像データ処理装置２００が視聴中であった場合の処理を示すフローチャートである。
【図８】所定時間ごとに画像データ処理装置２００から受信感度を取得するときの処理を示すシーケンス図である。
【図９】変形例を示す映像共有システムのシステム構成図である。
【図１０】他の変形例における判定処理のための基準値を説明するための模式図である。
【符号の説明】
【００９２】
１００…画像データ処理装置、１０１…映像・音声放送受信部、１０２…処理部、１０３…映像・音声処理部、１０４…感度情報取得部、１０５…受信環境判定部、１０６…映像データ取得部、１０７…出力部、１０８…保存部、１０９…接続部、１１０…録画予約リスト保存部、２００…画像データ処理装置、２００ａ…画像データ処理装置、２００ｘ…画像データ処理装置、２０１…映像・音声放送受信部、２０２…処理部、２０３…映像・音声処理部、２０４…電源判断部、２０５…受信感度通知部、２０６…使用状態判断部、２０７…接続部、２０８…出力部。
【図１】
0005271582.tif 000002
【図２】
0005271582.tif 000003
【図３】
0005271582.tif 000004
【図４】
0005271582.tif 000005
【図５】
0005271582.tif 000006
【図６】
0005271582.tif 000007
【図７】
0005271582.tif 000008
【図８】
0005271582.tif 000009
【図９】
0005271582.tif 000010
【図１０】
0005271582.tif 000011